(57)【要約】      （修正有）【課題】リハビリ器材として使用することもできるジョギング式健康器を提供する。【解決手段】フロントローラ構成２０とリアローラとが設けられているベース枠と、フロントローラ構成２０とリアローラとに掛け回されているジョギングベルト４０と、フロントローラ構成２０を介して動力がジョギングベルト４０に伝達されジョギングベルト４０を駆動する動力部材５０とを含み、フロントローラ構成２０は、シャフト２１と、少なくとも一つの一方向回転可能軸受２２と、フロントローラ２３と、を含み、シャフト２１とフロントローラ２３との間に一方向回転可能軸受２２を組付けることにより、動力部材５０の動力がシャフト２１と一方向回転可能軸受２２とフロントローラ２３とを順に経てジョギングベルト４０に伝達されることを特徴とするものである。【選択図】図６
0003148743.tif 000002
【実用新案登録請求の範囲】
【請求項１】
フロントローラ構成とリアローラとが設けられているベース枠と、
前記フロントローラ構成と前記リアローラとに掛け回されているジョギングベルトと、
前記フロントローラ構成を介して動力が前記ジョギングベルトに伝達され前記ジョギングベルトを駆動する動力部材と、を含むジョギング式健康器において、
前記フロントローラ構成は、シャフトと、少なくとも一つの一方向回転可能軸受と、フロントローラと、を含み、前記シャフトと前記フロントローラとの間に前記一方向回転可能軸受を組付けることにより、前記動力部材の動力が前記シャフトと前記一方向回転可能軸受と前記フロントローラとを順次に経て前記ジョギングベルトに伝達され、なお、前記動力部材が運転していない状態でユーザが前記ジョギングベルトを歩くと、動力が空回り方向の前記フロントローラから前記一方向回転可能軸受に伝達されるので、前記シャフトと前記動力部材が駆動されず、なお、前記ジョギングベルトも前記動力部材に制動されないことを特徴とするジョギング式健康器。
【請求項２】
前記動力部材は、直接にモータに駆動されることを特徴とする、請求項１に記載のジョギング式健康器。
【請求項３】
前記シャフトは二段式のシャフトであり、前記二段式のシャフトは前記フロントローラの両端にそれぞれ固定されており、なお、前記動力部材と前記シャフトとの間には一方向回転可能軸受が設けられており、前記一方向回転可能軸受を介して前記動力部材の動力が前記シャフトに伝達されることを特徴とする、請求項１に記載のジョギング式健康器。
【考案の詳細な説明】
【技術分野】
【０００１】
本考案は、ジョギング式健康器に係り、特に動力部材とシャフトとの間には一方向回転可能軸受が少なくとも一つ設けられていることにより、リハビリ器材として使用することもできるジョギング式健康器に関するものである。
【背景技術】
【０００２】
商工活動が盛んになっている現在では、人口が極めて集中している大都市には、運動をする場所が少ないので、色々の健康器が開発されて市販されている。例えば、ジョギング式健康器は、室外でジョギングをする場所が見付らないユーザにとって、室内で何時でも簡単にジョギングをすることができるものである。しかし、従来のジョギング式健康器によれば、ジョギング以外の用途に使用することができず、例えばリハビリが必要になる場合には、リハビリ器材を別に購入することが必要であり、そうすると、購入費用が増加し、据付のためのスペースも倍増する問題があった。
【考案の開示】
【考案が解決しようとする課題】
【０００３】
本考案の主な目的は、ジョギング式健康器として使用することができ、リハビリ器材として使用することもできるジョギング式健康器を提供することにある。
【課題を解決するための手段】
【０００４】
本考案の請求項１に記載のジョギング式健康器によると、フロントローラ構成とリアローラとが設けられているベース枠と、前記フロントローラ構成と前記リアローラとに掛け回されているジョギングベルトと、前記フロントローラ構成を介して動力が前記ジョギングベルトに伝達され前記ジョギングベルトを駆動する動力部材と、を含むジョギング式健康器において、前記フロントローラ構成は、シャフトと、少なくとも一つの一方向回転可能軸受と、フロントローラと、を含み、前記シャフトと前記フロントローラとの間に前記一方向回転可能軸受を組付けることにより、前記動力部材の動力が前記シャフトと前記一方向回転可能軸受と前記フロントローラとを順次に経て前記ジョギングベルトに伝達され、なお、前記動力部材が運転していない状態でユーザが前記ジョギングベルトを歩くと、動力が空回り方向の前記フロントローラから前記一方向回転可能軸受に伝達されるので、前記シャフトと前記動力部材が駆動されず、なお、前記ジョギングベルトも前記動力部材に制動されないことを特徴とするジョギング式健康器である。
【０００５】
本考案の請求項２に記載のジョギング式健康器によると、前記動力部材は、直接にモータに駆動される。
【０００６】
本考案の請求項３に記載のジョギング式健康器によると、前記シャフトは二段式のシャフトでもよく、前記二段式のシャフトは前記フロントローラの両端にそれぞれ固定されており、なお、前記動力部材と前記シャフトとの間には一方向回転可能軸受が設けられており、前記一方向回転可能軸受を介して前記動力部材の動力が前記シャフトに伝達される。
【考案の効果】
【０００７】
本考案のジョギング式健康器によれば、ジョギング式健康器として使用することができ、リハビリ器材として使用することもできるという効果を有する。
【考案を実施するための最良の形態】
【０００８】
以下、本考案の実施の形態を図面に基づいて説明する。
【実施例１】
【０００９】
まず、図１乃至図７を参照する。本考案に係るジョギング式健康器は、フロントローラ構成２０とリアローラ３０とが設けられているベース枠１０と、フロントローラ構成２０とリアローラ３０とに掛け回されているジョギングベルト４０と、フロントローラ構成２０を介して動力がジョギングベルト４０に伝達されジョギングベルト４０を駆動する動力部材５０と、を含む。フロントローラ構成２０は、シャフト２１と、少なくとも一つの一方向回転可能軸受２２と、フロントローラ２３と、を含み、シャフト２１とフロントローラ２３との間に一方向回転可能軸受２２を組付けることにより、動力部材５０の動力がシャフト２１と一方向回転可能軸受２２とフロントローラ２３とを順次に経てジョギングベルト４０に伝達され、なお、動力部材５０が運転していない状態でユーザがジョギングベルト４０を歩くと、動力が空回り方向のフロントローラ２３から一方向回転可能軸受２２に伝達されるので、シャフト２１と動力部材５０が駆動されず、なお、ジョギングベルト４０も動力部材５０に制動されない。従って、動力部材５０に通電していない場合には、リハビリ器材として使用することができ、動力部材５０に通電している場合には、ジョギング式健康器として使用することができる。
【００１０】
フロントローラ２３には、フライホイルが少なくとも一つ組み付けられている。動力部材５０は、モータ５１と、二つのプーリ５２、５３と、ベルト５４と、を含む。
【００１１】
動力部材５０は、図１に示す実施例のように、モータ５１と、二つのプーリ５２、５３と、ベルト５４と、を含んでもよい。なお、図４において、動力部材５０はモータ５１であり、一方向回転可能軸受２２がモータ５１に直接に駆動される。図５に示すように、ユーザは、ジョギングベルト４０の上でジョギングすることができ、リハビリすることもできる。
【００１２】
図６に示すように、動力部材５０に通電しているときには、動力部材５０がプーリ５２と、ベルト５４と、プーリ５３と、フロントローラ構成２０のシャフト２１と、を駆動し、その回転方向で一方向回転可能軸受２２がフロントローラ２３を回転可能であり、フロントローラ２３によりジョギングベルト４０が駆動され、そうすると、本考案はジョギング健康器として使用することができる。
【００１３】
図７に示すように、動力部材５０に通電していないときにユーザがジョギングベルト４０の上でジョギングしている場合には、ジョギングベルト４０の回転方向が一方向回転可能軸受２２の空回り方向と一致であるので、シャフト２１が動力に駆動されず、なお、ジョギングベルト４０も動力部材５０に制動されない。そうすると、本考案はリハビリ器材として使用することができる。
【実施例２】
【００１４】
また、図８に示すように、本考案に係るジョギング式健康器は、シャフト２１は二段式のシャフト２１でもよく、二段式のシャフト２１はフロントローラ２３の両端にそれぞれ固定されており、なお、動力部材５０とシャフト２１との間には一方向回転可能軸受２２が設けられており、一方向回転可能軸受２２を介して動力部材５０の動力がシャフト２１に伝達される。
【図面の簡単な説明】
【００１５】
【図１】本考案の実施例１に係るジョギング式健康器の斜視図である。
【図２】本考案の実施例１に係るフロントローラ構成の上面断面図である。
【図３】本考案の実施例１に係るジョギングベルトの平面図である。
【図４】本考案の実施例２に係るジョギング式健康器の平面図である。
【図５】本考案の実施例２に係るジョギング式健康器の使用状態を示す側面図である。
【図６】本考案がジョギング式健康器に適用された状態の模式図である。
【図７】本考案がリハビリ器材に適用された状態の模式図である。
【図８】本考案の実施例２に係るフロントローラの断面図である。
【符号の説明】
【００１６】
１０  ベース枠
２０  フロントローラ構成
２１  シャフト
２２  一方向回転可能軸受
２３  フロントローラ
３０  リアローラ
４０  ジョギングベルト
５０  動力部材
５１  モータ
５２  プーリ
５３  プーリ
５４  ベルト
【図１】
0003148743.tif 000003
【図２】
0003148743.tif 000004
【図３】
0003148743.tif 000005
【図４】
0003148743.tif 000006
【図５】
0003148743.tif 000007
【図６】
0003148743.tif 000008
【図７】
0003148743.tif 000009
【図８】
0003148743.tif 000010